(57)【要約】【課題】動画撮影中における電力消費を抑制することができる撮像装置を提供する。【解決手段】被写体の撮像を行う撮像素子と、スルー画撮影中または動画撮影中に前記撮像素子から出力される撮像信号に基づいて被写体画像を表示する表示部と、撮影対象が所定時間変化していないこと検出する第１検出部と、前記第１検出部により前記撮影対象が所定時間変化していないことが検出された場合に、前記表示部における前記被写体画像の表示を省電力モードによる表示に変更する表示制御部と、前記表示部における表示が前記省電力モードによる表示に変更された場合に、前記スルー画撮影中または前記動画撮影中であることを報知する報知部とを備える。【選択図】図１
2011029751.tif 000002
【特許請求の範囲】
【請求項１】
被写体の撮像を行う撮像素子と、
スルー画撮影中または動画撮影中に前記撮像素子から出力される撮像信号に基づいて被写体画像を表示する表示部と、
撮影対象が所定時間変化していないこと検出する第１検出部と、
前記第１検出部により前記撮影対象が所定時間変化していないことが検出された場合に、前記表示部における前記被写体画像の表示を省電力モードによる表示に変更する表示制御部と、
前記表示部における表示が前記省電力モードによる表示に変更された場合に、前記スルー画撮影中または前記動画撮影中であることを報知する報知部と
を備えることを特徴とする撮像装置。
【請求項２】
前記報知部は、前記スルー画撮影中または前記動画撮影中であることを報知する前記表示部とは異なる表示部を備えることを特徴とする請求項１記載の撮像装置。
【請求項３】
前記報知部は、前記スルー画撮影中または前記動画撮影中であることを報知するランプを備えることを特徴とする請求項１記載の撮像装置。
【請求項４】
前記報知部は、前記スルー画撮影中と前記動画撮影中とで、前記ランプを異なる周期で点滅させることを特徴とする請求項３記載の撮像装置。
【請求項５】
前記省電力モードによる表示には、前記表示部の表示停止を含むことを特徴とする請求項１〜４の何れか一項に記載の撮像装置。
【請求項６】
前記報知部は、該撮像装置本体の前記表示部が設けられている面と同一の面に設けられていることを特徴とする請求項１〜５の何れか一項に記載の撮像装置。
【請求項７】
前記撮影対象が所定量以上変化したことを検出する第２検出部と、
前記第２検出部により前記撮影対象が所定量以上変化したことを検出した場合に、前記表示制御部は、前記表示部における通常モードによる前記被写体画像の表示を再開することを特徴とする請求項１〜６の何れか一項に記載の撮像装置。
【発明の詳細な説明】
【技術分野】
【０００１】
本発明は、撮像装置に関するものである。
【背景技術】
【０００２】
従来、動画撮影中に記録されている画像がＬＣＤ表示部に表示される撮像装置が存在する（例えば、特許文献１参照）。
【先行技術文献】
【特許文献】
【０００３】
【特許文献１】特開２００７−３３６５３３号公報
【発明の概要】
【発明が解決しようとする課題】
【０００４】
しかし上述の撮像装置においては、動画撮影中において常に被写体の画像をＬＣＤ表示部に表示することから電力の消費量が増大する。
【０００５】
本発明の目的は、動画撮影中における電力消費を抑制することができる撮像装置を提供することである。
【課題を解決するための手段】
【０００６】
本発明の撮像装置は、被写体の撮像を行う撮像素子と、スルー画撮影中または動画撮影中に前記撮像素子から出力される撮像信号に基づいて被写体画像を表示する表示部と、撮影対象が所定時間変化していないこと検出する第１検出部と、前記第１検出部により前記撮影対象が所定時間変化していないことが検出された場合に、前記表示部における前記被写体画像の表示を省電力モードによる表示に変更する表示制御部と、前記表示部における表示が前記省電力モードによる表示に変更された場合に、前記スルー画撮影中または前記動画撮影中であることを報知する報知部とを備えることを特徴とする。
【発明の効果】
【０００７】
本発明によれば、動画撮影中における電力消費を抑制することができる。
【図面の簡単な説明】
【０００８】
【図１】実施の形態に係るデジタルカメラのシステム構成を示すブロック図である。
【図２】実施の形態に係るデジタルカメラの動画撮影時における処理を示すフローチャートである。
【発明を実施するための形態】
【０００９】
以下、図面を参照して本発明の実施の形態に係るデジタルカメラについて説明する。図１は実施の形態に係るデジタルカメラのシステム構成を示すブロック図である。デジタルカメラ２は、ＣＰＵ１０を備え、ＣＰＵ１０には操作部１８、カメラ本体の背面に設けられた例えばＬＣＤ、有機ＥＬ等の表示部６の表示制御を行う表示制御部２０、被写体を撮像して撮像信号（蓄積電荷としてのアナログ信号）を生成するＣＣＤ或いはＣＭＯＳ等により構成される撮像素子２２、撮像素子２２から出力された撮像信号を図示しないＡ／Ｄ変換部においてＡ／Ｄ変換することにより生成された画像データを一時的に記憶する記憶部２４、記憶部２４に記憶されている画像データに、ホワイトバランス調整、輪郭補償、ガンマ補正等の画像処理を行う画像処理部２６、撮像された画像データを記憶するメモリカード４０を装着するメモリーカードスロット２８、装着されたメモリカード４０に対して画像データの書き込み中等において点滅するアクセスランプ３０、及び水平面に対するデジタルカメラの傾斜角度を計測する傾斜角センサ３２が接続されている。ここで、操作部１８には、レリーズスイッチ、動画撮影スイッチ等が含まれている。
【００１０】
次に、図２に示すフローチャートを参照して実施の形態に係るデジタルカメラ２による動画撮影時における処理について説明する。ここで、カメラ２は動画撮影スイッチの操作により、動画撮影の指示がなされると動画撮影を開始し、撮像素子２２から出力された撮像信号に基づき、動画映像を表示部６に表示する（ステップＳ１）。なお、撮影された動画の画像データは、画像処理部２６により画像処理が行われた後、順次メモリカード４０に記憶される。
【００１１】
次に、撮影対象が変化したか否かの判定を行う。即ち、傾斜角センサ３２によりデジタルカメラ２の傾斜角度の計測を行うことによりデジタルカメラ２が移動したか否かの判定を行い（ステップＳ２）、移動していないと判定した場合には、構図が変化したか否かの判定を行う（ステップＳ３）。ここで、構図が変化したか否かの判定は、画像データの重複度合を検討することにより行う。即ち、所定の時間間隔を置いて撮影された画像データを比較し、両画像データの重複度合が所定の閾値以下であった場合には構図が変化したものと判定する。なお、構図の変化の具体例としては被写体が動いた場合やズーム操作等により画角が変化した場合がある。ここで、比較する画像データの時間間隔及び重複度合の閾値については操作者が任意に設定することができる。
【００１２】
デジタルカメラ２が移動しておらず構図も変化していない場合には、撮影対象が変化していないと判定し、所定の時間が経過したか否かの判定を行う（ステップＳ４）。ここで、経過時間の測定は、動画撮影開始時、デジタルカメラ２が移動したと判定した時、構図が変化したと判定した時のうち最後の時間を基準時として行う。また、基準時からの経過時間は操作者が任意に、例えば３０秒のように設定することができる。
【００１３】
上述の基準時から所定の時間が経過していると判定した場合には、表示制御部２０により、表示部６の液晶表示の輝度を低下させることにより消費電力の抑制を図る省電力モードに変更する（ステップＳ５）。そして、デジタルカメラ２の筐体の背面に備えられているアクセスランプ３０を点灯させ、操作者に動画撮影中である旨の報知を行う（ステップＳ６）。一方、基準時から所定の時間以内に撮影対象が変化したと判定した場合には、再び撮影対象が変化したか否かの判定を行う（ステップＳ２〜ステップＳ４）。
【００１４】
次に、表示部６の表示を省電力モードに変更した状態で撮影対象が変化したか否かの判定を行う。即ち、デジタルカメラ２が移動したか否かの判定（ステップＳ７）、構図が変化したか否かの判定（ステップＳ９）を行うことにより、撮影対象が変化したと判定した場合には表示部６の液晶表示を通常モードに復帰する（ステップＳ８）。
【００１５】
本実施の形態に係るデジタルカメラ２によれば、動画撮影中における電力消費を抑制することができる。
【００１６】
なお、上述の実施の形態においては、デジタルカメラ２による動画撮影時における処理について説明したが、スルー画撮影時において同様の処理を行ってもよい。即ち、スルー画映像を表示部６に表示すると、撮影対象が変化したか否かの判定を行い、変化していないと判定した場合には、基準時から所定の時間が経過したか否かの判定を行う。所定の時間が経過していると判定した場合には、省電力モードに変更し、アクセスランプ３０の点灯により動画撮影中である旨の報知を行う。ここで、スルー画撮影中は動画撮影中とアクセスランプ３０の点滅周期を異ならせることが好ましい。これにより、操作者は動画撮影中であるのかスルー画撮影中であるのかを判別することができる。次に、表示部６の表示を省電力モードに変更した状態で撮影対象が変化したか否かの判定を行い、撮影対象が変化したと判定した場合には通常モードに復帰する。これにより、スルー画撮影時においても電力消費を抑制することができる。
【００１７】
また、上述の実施の形態においては、デジタルカメラ２が移動したか否かの判定を行う際に傾斜角センサ３２を使用しているが、傾斜角センサ３２に代えて加速度センサを用いてもよい。加速度センサを用いた場合においても傾斜角センサ３２を用いた場合と同様にデジタルカメラ２が移動したか否かの判定を行うことができる。
【００１８】
また、上述の実施の形態においては、撮影対象が変化したか否かの判定を行う場合において、画像全体の重複度合を検討しているが、所定のエリア内における被写体の重複度合に基づいて判定を行ってもよい。例えば、所定のエリアにおいて人の顔が認識された場合、所定の時間経過後に同エリアにおいて人の顔が認識されなければ撮影対象が変化したと判定してもよい。また、画角内において横方向に例えば３つのフォーカスエリアが設定されている場合において、１つのフォーカスエリアにおいて主要被写体が認識された場合であって、所定の時間経過後に隣に位置するフォーカスエリアにおいて主要被写体を認識した場合に撮影対象が変化したと判定するようにしてもよい。
【００１９】
また、上述の実施の形態において、撮影対象の明るさの変化量に基づいて撮影対象が変化したか否かの判定を行ってもよい。この場合には、撮影対象の輝度の変化量が所定の閾値を超えると判定した場合には、表示部６の液晶表示が通常モードにより表示されている場合には省電力モードによる表示への変更を行わないようにし、省電力モードにより表示されている場合には通常モードによる表示に復帰させるようにしてもよい。例えば、室内で撮影を行っていた場合に、照明が消灯され室内が暗くなった場合などである。ここで、閾値については操作者が任意に設定することができるようにすることが好ましい。
【００２０】
また、上述の実施の形態において、レリーズスイッチ等の操作部材の操作があったか否かを判定し、操作が行われたと判定した場合には、表示部６の液晶表示が通常モードにより表示されている場合には省電力モードによる表示への変更を行わないようにし、省電力モードにより表示されている場合には通常モードによる表示に復帰させるようにしてもよい。
【００２１】
また、上述の実施の形態において、音声が検出されたか否かを判定し、所定の閾値を超える音声が検出されたと判定した場合には、表示部６の液晶表示が通常モードにより表示されている場合には省電力モードによる表示への変更を行わないようにし、省電力モードにより表示されている場合には通常モードによる表示に復帰させるようにしてもよい。ここで、閾値については操作者が任意に設定することができるようにすることが好ましい。
【００２２】
また、上述の実施の形態において、動画撮影中である旨の報知を行う場合に、アクセスランプ３０を点灯させる代わりに、アクセスランプ３０の点灯色を変化させてもよい。これにより、アクセスランプ３０を点滅させると場合と同様に動画撮影中である旨の報知を行うことができる。
【００２３】
また、上述の実施の形態において、動画撮影中である旨の報知を行う場合に、アクセスランプ３０を点灯させる代わりに、表示部６とは異なる表示部に動画撮影中である旨を報知する表示を行ってもよい。例えば、デジタルカメラ２の筐体の上部にサブ液晶表示部を設け、動画撮影中にＲＥＣ等の表示を行ってもよい。
【００２４】
また、上述の実施の形態において、動画撮影中である旨の報知を行う場合に、アクセスランプ３０を点灯させる代わりに、表示部６の動画の表示を間歇的に行うようにしてもよい。例えば、５秒間通常モードによる表示を行い、その後省電力モードによる表示に変更し、省電力モードによる表示を２５秒間行うと再び通常モードによる表示に戻るというように、一定のサイクルで通常モードによる表示と省電力モードによる表示を交互に行うようにしてもよい。
【００２５】
また、上述の実施の形態において、動画撮影中である旨の報知を行う場合に、アクセスランプ３０を点灯させる代わりに、スピーカから音声信号を出力してもよい。
【符号の説明】
【００２６】
２…デジタルカメラ、６…表示部、１０…ＣＰＵ、２２…撮像素子、３０…アクセスランプ、３２…傾斜角センサ、４０…メモリカード。
【図１】
2011029751.tif 000003
【図２】
2011029751.tif 000004